(57)【特許請求の範囲】
【請求項１】
第１の直径を有するノッチ部付け第１の円環部（１１）と、
第２の直径を有するノッチ部付け第２の円環部（１２）とを備え、
前記第１の円環部と前記第２の円環部とはそれぞれのノッチ部により互いに結合され、前記第１の円環部の第１の直径は前記第２の円環部の第２の直径よりも小さく、
前記第１の円環部及び前記第２の円環部は、それぞれノッチ部付けの円環形状に形成され、且つ互いに連結されて「８」字状の環状部材を形成することを特徴とするローションポンプ用安全ストッパー。
【請求項２】
前記第１の円環部（１１）の第１の直径はローションポンプのネック部の外径よりも大きい或いはローションポンプのネック部の外径に等しいことを特徴とする請求項１に記載のローションポンプ用安全ストッパー。
【請求項３】
前記第２の円環部（１２）の第２の直径は押圧ヘッドの下部の外径よりも小さい或いは押圧ヘッドの下部の外径に等しいことを特徴とする請求項１に記載のローションポンプ用安全ストッパー。
【請求項４】
前記第２の円環部（１２）の第２の直径は押圧ヘッドの下部の外径よりも大きいことを特徴とする請求項１に記載のローションポンプ用安全ストッパー。
【請求項５】
前記第２の円環部（１２）の高さは前記第１の円環部（１１）の高さよりも高いことを特徴とする請求項１に記載のローションポンプ用安全ストッパー。
【請求項６】
前記第２の円環部（１２）の上縁内側は傾斜面であることを特徴とする請求項１に記載のローションポンプ用安全ストッパー。
【請求項７】
前記第２の円環部（１２）の上縁内側は丸められたものであることを特徴とする請求項１に記載のローションポンプ用安全ストッパー。
【発明の詳細な説明】
【技術分野】
【０００１】
本発明はローションポンプに関し、特にローションポンプ用安全ストッパーに関するものである。
【背景技術】
【０００２】
従来では、ローションポンプの押圧ヘッドを降下しないように安全ストッパーにより固定してローションの漏れを防止するローションポンプが販売されている。
【０００３】
図１は安全ストッパー１ａがローションポンプ２に係合した状態を示す。図２は安全ストッパー１ａの斜視図である。図１及び図２に示されるように、安全ストッパー１ａは、開口部を有する略環状のものであり、その開口部がローションポンプのキャップの上方のネック部に係合することによりローションポンプの押圧ヘッドを降下しないようにそのストロークの上死点に保持してローションの漏れを防止する。
【０００４】
上記安全ストッパーの場合、構成が簡単であり且つ信頼できるものであるが、欠陥もあり、使用中に危険や不便が発生する。具体的には、このような安全ストッパーの体積がとても小さいので、取り外された安全ストッパーをローションポンプに再度係合するのを忘れることは時々発生する。このため、幼児が取り外された安全ストッパーを玩具として用いたり、飲み込んだりすることが生じる可能性がある。
【０００５】
一方、取り外された安全ストッパーは紛失しやすい。その結果、ローションポンプを携帯して外出するなど安全ストッパーが必要な場合、安全ストッパーを紛失してしまい、使用者に不便になってしまうことがある。
【発明の概要】
【発明が解決しようとする課題】
【０００６】
本発明は上述のような問題を解決するためになされたものであり、その目的は、構成の簡素化を達成できるとともに紛失を効果的に防止できるローションポンプ用安全ストッパーを提供することである。
【課題を解決するための手段】
【０００７】
上記目的を達成するために、本発明のローションポンプ用安全ストッパーは、第１の直
径を有するノッチ部付け第１の円環部と、第２の直径を有するノッチ部付け第２の円環部
とを備え、第１の円環部と第２の円環部とはそれぞれのノッチ部により互いに結合され、
第１の円環部の第１の直径は第２の円環部の第２の直径よりも小さく、第１の円環部及び第２の円環部は、それぞれノッチ部付けの円環形状に形成され、且つ互いに連結されて「８」字状の環状部材を形成する。
【０００９】
また、前記ローションポンプ用安全ストッパーにおいては、第１の円環部の第１の直径はローションポンプのネック部の外径よりも大きい或いはローションポンプのネック部の外径に等しいことが好ましい。
【００１０】
また、前記ローションポンプ用安全ストッパーにおいては、第２の円環部の第２の直径は押圧ヘッドの下部の外径よりも小さい或いは押圧ヘッドの下部の外径に等しいことが好ましい。
【００１１】
また、前記ローションポンプ用安全ストッパーにおいては、第２の円環部の第２の直径は押圧ヘッドの下部の外径よりも大きいことが好ましい。
【００１２】
また、前記ローションポンプ用安全ストッパーにおいては、第２の円環部の高さは第１の円環部の高さよりも高いことが好ましい。
【００１３】
また、前記ローションポンプ用安全ストッパーにおいては、第２の円環部の上縁内側は傾斜面であることが好ましい。
【００１４】
また、前記ローションポンプ用安全ストッパーにおいては、第２の円環部の上縁内側は丸められたものであることが好ましい。
【発明の効果】
【００１６】
このように構成が簡単であるとともに紛失を効果的に防止できる本発明のローションポンプ用安全ストッパーは、次のような作用効果を奏している。
【００１７】
１．ローションポンプを使用するために安全ストッパーを開放する際に、安全ストッパーをローションポンプから取り外す必要はなく、大きい円環をネック部に押せばよい。その結果、従来の安全ストッパーのようにローションポンプから取り外した後に紛失してしまい、使用したい場合に探しても見つからないなどということがない。
【００１８】
２．安全ストッパーはローションポンプのネック部または押圧ヘッドの下部に移動できてローションポンプから取り外すことはないので、安全ストッパーが幼児により飲み込まれることを回避できる。
【００１９】
３．安全ストッパーを使用するには、ある程度の技法が必要なので、幼児が容易に該安全ストッパーを開放することも回避される。そのため、本発明の安全ストッパーは幼児の使用を禁止する製品（例えば蚊取り液など）に適用できる。
【図面の簡単な説明】
【００２０】
【図１】図１は、従来のローションポンプ用安全ストッパーがローションポンプに係合した状態を示す図である。
【図２】図２は、図１に示す安全ストッパーの斜視図である。
【図３】図３は，本発明の実施の形態におけるローションポンプ用安全ストッパーの正面図である。
【図４】図４は、図３に示す安全ストッパーの平面図である。
【図５】図５は、図３に示す安全ストッパーの斜視図である。
【図６ａ】図６ａは、図４のＡ−Ａ線に沿う断面を示す断面図である。
【図６ｂ】図６ｂは、図４のＢ−Ｂ線に沿う断面を示す断面図である。
【図６ｃ】図６ｃは、図６ａの変形例を示す断面図である。
【図７】図７は、安全ストッパーを装着したローションポンプの斜視図であり、安全ストッパーの小径の第１の円環部がローションポンプのネック部に外挿されて係止するローションポンプの非使用状態を示す図である。
【図８】図８は、安全ストッパーを装着したローションポンプの斜視図であり、安全ストッパーの大径の第２の円環部がローションポンプのネック部に外挿されたローションポンプの使用可能な状態を示す図である。
【図９】図９は、安全ストッパーを装着したローションポンプの斜視図であり、安全ストッパーの第２の円環部が降下しないように押圧ヘッドの下部に係止されたローションポンプの正常使用可能な状態を示す図である。
【発明を実施するための形態】
【００２１】
まず、図３〜５には、本発明の好ましい実施の形態におけるローションポンプ用安全ストッパー１が示されている。平面図（図４）に示すように、安全ストッパー１は略「８」字状の環状部材であり、第１の直径を有するノッチ部付け円環状の第１の円環部１１と、第２の直径を有するノッチ部付け円環状の第２の円環部１２とを備えている。
【００２２】
第１の円環部１１と第２の円環部１２とがそれぞれのノッチ部により互いに連結されて「８」字状の環状部材に形成されている。第１の円環部１１の第１の直径は第２の円環部１２の第２の直径よりも小さい。
【００２３】
上記実施の形態において、第１の円環部１１の第１の直径はローションポンプのネック部の外径よりもやや大きい或いはローションポンプのネック部の外径に等しいが、第２の円環部１２の第２の直径は押圧ヘッドの下部の外径よりもやや小さい或いは押圧ヘッドの下部の外径に等しい。また、図３に示すように、第２の円環部１２側の高さは第１の円環部１１側の高さよりもやや高い。
【００２４】
また、図６ａに示すように、大径の第２の円環部１２の上縁内側は傾斜面である。一方、図６ｂには、小径の第１の円環部１１の平坦な上縁が示されている。
【００２５】
さらに、図７〜９には、本発明の安全ストッパーの使用状況が示されている。図７に示すように、ローションポンプの非使用状態では、小径の第１の円環部１１はローションポンプのネック部に嵌められて、ローションポンプの安全ストッパーとして作用してローションポンプの不用意な動作を防止できる。
【００２６】
また、図８に示すように、ローションポンプを使用したい場合、矢印Ｆの方向に沿って大径の第２の円環部１２をローションポンプのネック部に押せばいい。この状態で、第２の円環部１２の第２の直径は押圧ヘッドの下部の外径よりやや小さい或いは押圧ヘッドの下部の外径に等しく、第２の円環部１２の高さは第１の円環部１１の高さよりやや高く、さらに、第２の円環部１２の上縁内側は傾斜面であるため、ローションポンプの押圧ヘッドを矢印Ｄの方向に沿って案内して第２の円環部１２に容易に圧入でき、すなわち、第２の円環部１２を押圧ヘッドの下部位置に係止させて降下しない。
【００２７】
その結果、図９に示すように、ローションポンプは正常使用可能な状態になる。一方、ローションポンプ及びその相関する容器を携帯して外出しようとする際に、安全ストッパー１の第２の円環部１２を押圧ヘッドから下方へローションポンプのネック部に移動させ、そして第１の円環部１１をネック部へ押し戻せばいい。
【００２８】
以上は好ましい実施例で本発明を説明したが、言うまでもなく、当業者が上記説明に基づいて種々の同等の変換や変更も可能である。
【００２９】
例えば、安全ストッパーの第２の円環部１２の直径を押圧ヘッドの下部の外径よりもやや大きいように設計してもいい。この場合、押圧ヘッドが下方へ押された後に上方へ戻る際に、安全ストッパー１は押圧ヘッドとともに上方へ移動することはない。押圧ヘッドが下方へ押された後に戻る際に、安全ストッパーはやはり図８に示された位置にあるが、第２の円環部１２は大径で、かつその上縁内側が傾斜面であるので、使用に妨害することはない。
【００３０】
さらに、本発明の安全ストッパーは上記二つのノッチ付け円環からなるものに限定しなく、二つのノッチ付け多角形または二つのノッチ付け楕円形からなるものでもよく、ひいては、ノッチ付け多角形、楕円形及び／または円環形の組み合わせなどからなるものでもいい。本発明に記載の「第１の円環部」及び「第２の円環部」には、上記円環形、多角形及び楕円形のうちの少なくとも一方が含まれており、「第１の直径」及び「第２の直径」は、円環形、多角形または楕円形の最小幅を指す。
【００３１】
また、図６ｃに示すように、第２の円環部の上縁内側の傾斜面を例えば丸みのような押圧ヘッドの下部の第２の円環部へのスライドに有利なその他の構成にしてもいい。
【００３２】
本発明は上記のように種々な変更を行えるので、その保護範囲は上記実施形態に制限されず、請求の範囲に制限されるものであると考えられるべきである。
【図１】
0005832554.tif 000002
【図２】
0005832554.tif 000003
【図３】
0005832554.tif 000004
【図４】
0005832554.tif 000005
【図５】
0005832554.tif 000006
【図６ａ】
0005832554.tif 000007
【図６ｂ】
0005832554.tif 000008
【図６ｃ】
0005832554.tif 000009
【図７】
0005832554.tif 000010
【図８】
0005832554.tif 000011
【図９】
0005832554.tif 000012